(57)【要約】      （修正有）【課題】フープ状のハンドルを持つ木口バッグに関し、木口バッグの内容物重量による変形を抑制する形状維持能力を高めてバッグのファッション性価値を高める。【解決手段】袋を形成する平らなウェッブ材料11と少なくとも一つのフープ状のハンドル31,32とからなるハンドル付き袋状容器であって、当該袋をフープ状のハンドルに懸架連結するために、ハンドルのフープの一部の周りに当該ウェッブ材料が取り巻くように形成したフープ収納空所を形成し、当該フープ収納空所は、フープが空所の外に伸びるフープの通路口を両端に、その間に中央部分をもち、当該中央部分は、フープの径方向において、当該通路口よりも、長く延伸する当該ウェッブ材料部分で覆われて形成することによって、ウェッブ材料がたるまないで、フープ上にギャザーを形成してフープに沿って延伸することができるようにした。【選択図】図７
2010104674.tif 000002
【特許請求の範囲】
【請求項１】
袋を形成する平らなウェッブ材料と少なくとも一つのフープ状のハンドルとからなるハンドル付き袋状容器であって、当該袋をフープ状のハンドルに懸架連結するために、ハンドルのフープの一部の周りに当該ウェッブ材料が取り巻くように形成したフープ収納空所を形成し、当該フープ収納空所は、フープが空所の外に伸びるフープの通路口を両端に、その間に中央部分をもち、当該中央部分は、フープの径方向において、当該通路口よりも、長く延伸する当該ウェッブ材料部分で覆われて形成されたフープハンドル付き袋状容器。
【請求項２】
袋と当該袋から延伸したウェッブ材料と少なくとも一つのフープ状のハンドルとからなるハンドル付き袋状容器であって、当該袋をフープ状のハンドルに懸架連結するために、ハンドルのフープの一部の周りに当該ウェッブ材料が取り巻くように形成したフープ収納空所を形成し、当該フープ収納空所は、フープが空所の外に伸びるフープの通路口を両端に、その間に中央部分をもち、当該中央部分は、フープの径方向において、当該通路口よりも、長く延伸する当該ウェッブ材料部分で覆われて形成されたフープハンドル付き袋状容器。
【請求項３】
当該フープ収納空所を覆うウェッブ材料は、その径方向の距離が両端のフープ通路口から中央部分に向かって、漸近的に増大するようにした請求項１又は２に記載のフープハンドル付き袋状容器。
【発明の詳細な説明】
【技術分野】
【０００１】
本発明は、袋をウェッブ材料で形成したフープ状ハンドル付き袋状容器、特に、フープ状のハンドルを持つ木口バッグに関する。
【背景技術】
【０００２】
袋をウェッブ材料で形成したフープ状ハンドル付き袋状容器、特に、フープ状のハンドルを持つ木口バッグは、円形環状のハンドルを有し、丸い全体の形状にファッション性があり、商品価値が高い。
【０００３】
【特許文献１】実用新案登録公報３０９４４６３号
【０００４】
袋体をフープ状のハンドルにべつの部材により連結して取り付けた木口バッグは、この連結部材を工夫して、内容物の重力により、袋体が引っ張られて、その連結部材がハンドルのフープ上を移動して、袋体の口を閉じるようにしている。口を閉じることはできるが、そのためには袋体が下に引っ張られて、バッグの全体的形状を損なう可能性がある。
丸い全体形状をえるためには、袋を形成するウェッブ材料にフープ状のハンドルを、一体的外観を呈するように、接近して取り付けることが望ましい。すなわち、袋を形成するウェッブ材料や袋と一体的な連結ウェッブ部材をフープ状のハンドルに直接取り付けるのが望ましい。直接取り付けるには、ハンドルのフープが延伸する通路をそのウェッブ材料で形成し、フープをその通路内を延伸させる。その通路は、両端に口をもち、両端の通路口を通ってフープはウェッブの外に突出している。このようにして、ウェッブ材料はフープに沿って横方向に広がり、そこから下方にドレープされ、ハンドルのフープに懸架される。
【０００５】
ウェッブ材料が下方になだらかにドレープされるためには、ウェッブ材料はハンドルの円形環状のフープに沿うように変形しなければならない。すなわち、円形のフープがその中を延伸する通路を形成するウェッブ材料の取り巻く部分にギャザー状に皺が形成される必要がある。そのため、ウェッブ材料は、このギャザー状皺が形成できるだけ十分な柔軟性と肉薄を持つ。そのようなウェッブ材料を用いると、ウェッブ材料がギャザーを形成して円形のフープに沿って、なだらかに横方向に広がり、下方にドレープされて、木口バッグのファション性ある丸い全体の形状が得られる。
このファッション性ある丸い形状は、袋を形成するウェブ材料の寸法とフープの寸法を適切に選択することによって、特徴あるいくつかの形状、たとえば、ラウンド、エッグ、またはシェル形を選択して作成できるのは自明である。
【発明の開示】
【発明が解決しようとする課題】
【０００６】
しかし、ファッション性ある丸い全体形状を持つ木口バッグは、そのウェッブ材料が柔軟であり、肉薄であるために、その使用期間中に、その外観を保つことが難しいという欠点があった。すなわち、ウェッブ材料が薄いために、内容物の輪郭に沿ってウェッブ材料が変形して外観に影響する。また、ウェッブ材料の張り力が小さいため、内容物の重量によって、垂れ下がり、使用開始後、元々のファッション性ある丸い全体形状が損なわれる。特にバッグはファッション性が重要な商品であるので、これは、木口バッグの商品価値を著しく低減させてしまう。
【０００７】
従来、内容物によって変形するのを妨げるために、張り力と肉厚のあるウェッブ材料を使用して、木口バッグを作成しようとすると、フープが内部を延伸するフープ通路において、ギャザー状皺が形成されず、ウェッブ材料が円形のハンドルに沿って分布せず、このフープ通路付近でウェッブ材料がだぶつく。これによって、木口バッグのファッション性ある丸い全体の形状が損なわれて、商品価値が低くなる。また、袋を形成するウェブ材料の寸法とフープの寸法を適切に選択しても、特徴あるいくつかの形状を選択して作成できなかった。
【０００８】
そこで、この発明は、商品価値のあるファッション性ある丸い全体形状が損なわれない、フープ状ハンドル付き容器、特に、木口バッグを提供することを目的とする。
すなわち、ハンドルのフープの通路を形成するウェッブ材料が、内容物の輪郭に沿って変形せず、内容物の重量によって垂れ下がらず、しかも、ハンドルのフープの通路近傍でもギャザー皺が形成されて概して丸い外観を形成維持できるフープ状ハンドル付き容器、特に、木口バッグを提供することを目的とする。
【課題を解決するための手段】
【０００９】
上記課題は、袋を形成する平らなウェッブ材料と、または、袋と当該袋から延伸したウェッブ材料と、少なくとも一つのフープ状のハンドルとからなるハンドル付き袋状容器であって、当該袋をフープ状のハンドルに懸架連結するために、ハンドルのフープの一部の周りに当該ウェッブ材料が取り巻くように形成したフープ収納空所を形成し、当該フープ収納空所は、フープが空所の外に伸びるフープの通路口を両端に、その間に中央部分をもち、当該中央部分は、フープの径方向において、当該通路口よりも、長く延伸する当該ウェッブ材料部分で覆われて形成されたフープハンドル付き袋状容器、特に、木口バッグによって、達成される。特に、当該フープ収納空所を覆うウェッブ材料は、その径方向の距離が両端のフープ通路口から中央部分に向かって、漸近的に増大するようにした上記フープハンドル付き木口バッグによって達成される。
【発明の効果】
【００１０】
この発明による木口バッグは、袋を形成するウェッブ材料を、肉厚であって、張力があるものを使用しても、フープ通路付近でウェッブ材料はだぶつくことなく、ハンドルフープでギャザーを形成して全体としてスムーズな円形形状を呈することができる。ウェッブ材料は肉厚かつ張力があるので、内容物の輪郭に沿って袋壁が変形したり、内容物の重量によって垂れ下がったりすることが少ない。これにより、使用期間が経過しても、木口バッグの商品価値として重要なファッション性ある丸みある全体形状を損なうことが少ない。
【００１１】
また、この発明によると、木口バッグは、袋を形成するウェブ材料の寸法とフープの寸法を適切に選択することによって、特徴あるいくつかの形状、たとえば、ラウンド、エッグ、またはシェル形状を選択して作成できる。
【発明を実施するための最良の形態】
【００１２】
本発明による木口バッグの最良実施形態をなす実施例を以下、説明する。この実施例は、閉じたフープのハンドルをウェッブ材料で形成した袋体に一体的外観を呈するように接近連結してなる木口バッグである。この実施例の木口バッグを作成する方法を図を参照して述べる。
直径13センチメートルの円環状で胴回り3センチメートルのフープ状のハンドル31及び32を使用して、ラウンド形の木口バッグを作成する場合、横38センチメートル縦28センチメートルの寸法で図1のように上縁は直線状に下縁は弧状にほぼ矩形に切り出した一対の表地11及び12を用意する。
【００１３】
表地の材料として綿を使用する場合、超薄から厚地2枚~3枚を重ねて用いることができる。ウールを使用する場合は、厚地１枚を、インテリア用布を使用する場合は、厚地１枚を用いることができる。また、表地に張りを持たせ、布の伸縮性を妨げるために、望ましくは、接着芯をつけてもよい。接着芯は表地の裏に熱で接着させる。接着芯は肉厚が異なるものが知られているが、比較的肉厚の接着芯を使用すれば、布地を多く使う必要が無い。また、接着芯として、キルト芯を使ってもよい。
【００１４】
この表地の裏面には、後述のまつりつけの作業の便宜のため、図２のに示すように、そのまつりつけ位置を示す線分をマーキングする。この線分は、図２において上縁の中心から距離２aだけ離れた点から上縁とほぼ平行に左右に距離ｂだけ延伸し、そこから両側には、上縁から距離aだけ離れた点までほぼ弧状に延伸させて、全体として弓状の線分をマーキングする。ただし、aはフープ状ハンドル31, 32のフープの胴回り(cm)X2＋1cmとする。ｂはハンドルのフープの直径(cm)―3cmとする。この実施例の場合は、距離aは、約７ｃｍであり、距離ｂは約10ｃｍである。このマーキングは表地11及び12に同じように施す。
【００１５】
表地11と12を図1に示す一点鎖線A-Aの縫い線に沿って縫い合わせる。すなわち、上縁から距離aだけ離間した部分から、一方横縁に沿って、次に下縁に沿って、上縁から距離aだけ離間した箇所まで、対向横縁に沿って縫い合わせる。上縁は縫わないで開口させておく。この部分は後に明らかになるように、フープ状ハンドルのフープの通路口を形成する。
【００１６】
表地と類似する形に、横38ｃｍ、縦21cmの寸法に切り出して用意した裏地21及び22を表地の袋を形成する一対の表地11及び12の開口している上縁に対して、図２に示すようにそれぞれ縫い合わせる。すなわち、直線状下縁に縫い代を形成して、表地の距離aの両角部を距離ｃ、望ましい実施例では、約２ｃｍだけ中央に向かって折り、その折山も同時に直線状縫い線B-Bに沿って縫い合わせる。実際は、縫い目は、Bを越えて、裏地21と22の両端に達してもよい。表地11の上縁に裏地21が、表地12の上縁に裏地22が結合している。図２は、表地11と裏地21との両部分を縫い合わせて接合した袋先駆体を示す。表地12と裏地22の縫い合わせ状態もまったく同じである。
【００１７】
別途用意したフープ状のハンドル31，32を、それぞれ、裏地21、22にはめる。すなわち、裏地21をハンドル31に、裏地22をハンドル32に、それぞれのフープ開口部をくぐらせ、表地11，12の上縁の下方位置までフープを落とす。その状態で、裏地22と21を、図３に示した一点鎖線の縫線C1-C２及びC3-C4に沿って、空きどまり未縫合部24を形成して、縫い合わせる。これにより、表地の上縁の開放部をハンドルフープの通過口として内部に収納した袋先駆体が得られる。
【００１８】
次に、この袋先駆体の表地と裏地との縫い合わせ線B-Bを図３において引き上げて、表地によってフープが包み込まれるように、上記マーキング位置まで引っ張り下げて、上記マーキングした弓状線分に沿ってまつりつける。すなわち、図４に示すように、表地と裏字の縫い合わせ部分が弓状線分に沿ってまつりつけられることによりフープ状ハンドルフープの両側端の通路口51、52では、表地によって、バッグ深さ方向において距離a分だけで形成されるが、フープが延伸する中間に位置するフープ収納空所50は、一側端の通路口51から距離2aまで達するまで、漸近的に増大する表地面積によって形成され、他側端の通路口52に向かって、次第に、距離aにもどるように、収納空所50を形成する表地面積は次第に縮小する。換言すると、収納空所の中央部分は、当該通路口よりも、フープの径方向において、長く延伸する表地部分で覆われて形成される。反対にある表地12と対応する裏地22、また、他方のフープ状ハンドル32についても、まったく、同じように、フープ収納空所を形成する。
【００１９】
空きどまり未縫合部24を利用して、二つのハンドルを引き出しながら、裏地21と22によって形成された裏袋体を、その内側を外側になるように、ひっくり返す。裏袋体は、これにより、表地11と12によって形成された表袋体の上にかぶさる。その結果、図５に示す二重袋体が得られる。次にこの二重袋体の裏袋体の空きどまり未縫合部24を点C1からC3を縫って閉鎖する。これによって、底を閉じた裏袋体が完成する。
【００２０】
この図５に示す二重袋体の内側に位置する表袋体を一対のハンドルの間から引っ張り出して、裏袋体を引っ張り出した表袋体の内部に入れ込む。詳しくは、ハンドルフープに掛かった表袋体部分と裏袋体部分をハンドルフープの一部に集めて、図６に示すように、フープ31と32をそれぞれ180度外側に回転させる。この状態で、内側にある表袋体をフープの間から引っ張り出し、引っ張り出した表袋体の中に、裏袋体を入れ込む。これによって、一対のハンドルは、その一部が表袋体よって形成された二つの収納空所50にそれぞれ取り込まれ、収納空所の両端にある通路口51，52から外に延伸した、木口バッグ（図7）が得られる。
【００２１】
この木口バッグの袋の内部へのアクセスは、図8に示すように、ハンドルのフープを袋に対して直交するように、相互の方向に倒すことによって、袋はフープによってその開口部が広げられて、ハンドルのフープ開口部を介して内容物の出し入れを行なう。
【００２２】
ハンドル31と３２の収納空所の通路口51は、図9Aにあるように、相互に開放している。これを左右に分けるために、図９Bに示すように、通路口に位置する表地の角（黒丸で示した位置）を縫いとめる。反対側に存在する通路口52にも同様の加工を加える。これによってハンドルフープが通路口で干渉することを防ぐことができる。
【００２３】
このようにして作成した木口バッグでは、フープ収納空所の中央部分は、当該通路口よりも、大きな面積の表地部分で形成されるので、ウェッブ材料のその部分はフープに沿ってギャザーを生じて、それにより、その通路口をフープの円周に沿って相互に離れる方向に移動させるような力が働く。その結果、表地はなだらかに横方向に広がり、外にたまらず、だぶつくことなく、下方にドレープされて、木口バッグのファション性ある丸い全体の形状が得られる。
【００２４】
この実施例において、この木口バッグの表地は上述したように張りと肉厚があるので、内容物の輪郭によって表地がそれをなぞって変形したり、内容物の重量で引っ張り下げられて、全体の丸い形状が失われることがない。とくに、内容物の重量で袋が引っ張られても、表地はフープの中央部において、フープに「深く」巻かれているので、上述したように横方向にすなわちフープの上に広がって、ハンドルフープの広い接触面積で、その重量は支持されるので、いっそう、全体の丸い形状は、使用時間を経ても、損なわれることは少ない。
【００２５】
上述したように表地の横幅はフープの円周の長さに比していくらか小としているので、フープの180度より大きい中心角の円周位置に表地のフープ通路口が位置する。これによって、内容物の重量は、むしろ、しっかりと、袋体はフープの肩に係合するように働き、袋体は、この結果、ハンドルのフープの直径方向に、すなわち、横方向に引き伸ばされ、バッグは丸い全体形状は保持することができる。
また、この望ましい作成方法で作成した木口バッグは、二つのハンドルフープの通路口で、表地は、図９Bで明らかなように、直接連接されているので、袋体に内容物の重量が傾いてかかっても、通路口の位置が移動しにくい。両方の表地が内容物の重量を支持するように、表地は二つのハンドルフープにいつも均等の面積で巻きつき、安定した構造を達成できる。
【００２６】
このような木口バッグによって、全体の形状を、ハンドルフープの大きさと、表地と裏地の寸法を選択するだけで、自由に選択できる。
以上の実施例は全体が円形のラウンド型のバッグで説明したが、これに対して、全体が下に伸びたエッグ型や下に向かって扇形をしたシェル型のファッション性ある形状を持つ木口バッグ作成できる。すなわち、これらの形状の木口バッグは、つぎの表１に示すように表地と裏地の寸法を選択するだけで、確実に作成できる。
【００２７】
【表１】
2010104674.tif 000003
【００２８】
もちろん、使用するハンドルの寸法がこれ以外であれば、布地の寸法も、それに応じてこの例の比率で変更することができる。
【００２９】
この発明は、図10に示され、以下説明する変更例でも、実施できる。この変更例は、一対の表地110,120と一対の裏地111,121を、用いるフープ状のハンドル310及び320のサイズに上記実施例と同様な寸法で用意する。ただし、裏地は、上記実施例とは異なり、表地と同一寸法とする。
【００３０】
公知の方法に従って表地110と裏地111を表地120と裏地121を縫い合わせ、ひっくり返すことによって、底縁と両横縁が閉鎖され、縫いどまり箇所400Aから400Bを持つ裏袋体を内側に持つ表袋体を作成する。この縫い合わされた表地110と裏地111、及び表地120と裏地121の開放縁をハンドル310、及び320のフープの円周の一部にそれぞれ巻きつけて袋体に連結する。
【００３１】
すなわち、フープ状ハンドル310は、そのフープの一部を、収納空所500の内部に収納され、その両側端に位置する通路口501及び502を通って外に露出する。換言すると、表地110と裏地111の開放縁をハンドル310のフープに巻き着けてフープを取り付ける。このフープの収納空所500は、図10に示す線分A-A、B-B、C-C、D-D、及びE-Eによる断面を図11（A）ないし（E）に模式的に示すように、表地110と裏地111の縁端110Aと111Aが、円環状フープの同心線上にではなく、両側のフープ通路口との中央部でもっとも下方に位置するように両側のフープ通路口501及び502から弓状に延伸する線分上に位置するように、縫いとめられる。図11の線分503が収納空所500の縫いどめ位置を示す。反対側にあるフープ状ハンドル320も、表地120と裏地121も、まったく同じ収納空所を形成するように、取り付ける。図10において、この同様の収納空所からフープ状ハンドル320がその通路口501’  及び502’を通じてその外に延伸している。
【００３２】
変更例の木口バッグの内部へのアクセスは、ハンドルフープ310と320を相互に離間する方向に引くことによって、表に表袋体を持つ裏袋体を縫いどまり箇所400A及び400B
で開放して行なわれる。
【００３３】
これにより、布地が張りあり、肉厚があっても、布地がフープの近傍でたるんだりして、余らず、フープ上にギャザーを十分形成することができ、木口バッグ特有の全体が丸い形状を与えることができる。木口バッグ特有の全体が丸い形状を維持しながら、布地に張りがあって、肉厚があるので、内容物の輪郭が袋の布地に沿って変形したり、内容物の重量により袋が垂れ下がって、全体形状が、使用の過程を通して、損なわれにくい。
【００３４】
以上、本発明の実施例と変更例について詳述したが、本発明は上述に限定されるものではなく、本発明の要旨の範囲内で種々の変形が可能である。
【００３５】
たとえば、実施例や変更例は布地でできた表地と裏地を用いたが、ビニールコートした布、あるいは人工皮革または天然の皮革であってもよい。また、バッグの素材となりえるウェッブ材料であれば、どのようなものであってもよい。この発明により、木口バッグに今まで使うことができなかった張力と厚さを持つ材料を使うことができるようになった。
【００３６】
また、実施例と変更例は、フープ状ハンドルへの袋体の取り付けが、袋を形成するウェッブ材料そのもののフープ上への巻きつけによって行なわれるが、袋から延伸したウェッブ材料がフープ上に巻きつけた形態も実施可能であることは、自明である。
【００３７】
また、この実施例と変更例は、ハンドルが円環状のフープを持っているが、ハンドルが楕円環状であっても、この発明は実施できる。袋を形成するウェッブ材料または袋から一体的に延伸したウェッブ材料が形成するハンドル収納空所に収納されるハンドルが円形であれば、この発明を実施できる。
【００３８】
また、この実施例と変更例は、バッグに発明を適用した場合を示したが、バッグ以外の円形のハンドル付きの容器であれば、この発明を実施できることは自明である。たとえば、屋内の壁に懸架できるもの入れ、ダストバッグなどとして使用できるフープ状のハンドル付き容器にも適用できる。
【図面の簡単な説明】
【００３９】
【図１】本発明の実施例の表地部分を示す斜視図である。
【図２】本発明の実施例の表地部分と裏地部分を接合した袋先駆体を示すである。
【図３】本発明の実施例によりフープ状ハンドルを含ませた袋先駆体を示す斜視図である。
【図４】本発明の袋先駆体におけるフープ状ハンドルまつり付け位置を説明する模式図である。
【図５】図４の袋先駆体の裏袋体をひっくり返した状態を示す斜視図である。
【図６】図５の袋先駆体と完成木口バッグの途中の状態を示した斜視図である。
【図７】完成木口バッグを示す斜視図である。
【図８】実施例の木口バッグにおいて内部へのアクセスを示す斜視図である。
【図９Ａ】実施例の木口バッグのハンドルフープ通路口とその加工状態を示す斜視図である。
【図９Ｂ】実施例の木口バッグのハンドルフープ通路口とその加工状態を示す斜視図である。
【図１０】この発明の変更例の木口バッグ主要部を示す斜視図である。
【図１１】この発明の変更例の木口バッグのフープ収納部の形状を示す模式的に示す断面図である。
【符号の説明】
【００４０】
１１，１２，１１０，１２０  表地
２１，２２，１１１，１２１  裏地
３１，３２，３１０，３２０  フープ状ハンドル
【図１】
2010104674.tif 000004
【図２】
2010104674.tif 000005
【図３】
2010104674.tif 000006
【図４】
2010104674.tif 000007
【図５】
2010104674.tif 000008
【図６】
2010104674.tif 000009
【図７】
2010104674.tif 000010
【図８】
2010104674.tif 000011
【図９Ａ】
2010104674.tif 000012
【図９Ｂ】
2010104674.tif 000013
【図１０】
2010104674.tif 000014
【図１１】
2010104674.tif 000015